(57)【要約】【課題】冷房運転が動作しにくい高めの温度設定であっても、適温及び適湿を実現することができる空気調和装置を提供する。【解決手段】空気調和装置は、予め設定された第１温度及び第１相対湿度とから決定される目標絶対湿度を示す第１絶対湿度を取得する絶対湿度設定値算出部２０４と、第１温度と第１相対湿度とから決定される露点温度を取得する露点温度算出部２０９と、室内の温度を示す第２温度と室内の相対湿度を示す第２相対湿度とから決定される室内の絶対湿度を示す第２絶対湿度を取得する絶対湿度算出部２０７と、第２絶対湿度が第１絶対湿度を超過している場合に、室内機ファン２２４の送風を停止させ、吹出し口２２５を閉じさせ、室内熱交換器２２０を露点温度で冷却する除湿運転を制御する熱交換器温度比較判定部２１７及び室内機ファン／吹出し口制御部２２３とを備える。【選択図】図２
2019163920.tif 000002
【特許請求の範囲】
【請求項１】
予め設定された温度を示す第１温度と予め設定された相対湿度を示す第１相対湿度とから決定される目標絶対湿度を示す第１絶対湿度を取得する第１取得部と、
前記第１温度と前記第１相対湿度とから決定される露点温度を取得する第２取得部と、
室内の温度を示す第２温度と前記室内の相対湿度を示す第２相対湿度とから決定される前記室内の絶対湿度を示す第２絶対湿度を取得する第３取得部と、
前記室内の空気と冷媒とを熱交換する熱交換器と、
前記熱交換器により冷却された空気を送風する送風部と、
前記送風部により送風される空気を前記室内に送風するための送風口と、
前記第２絶対湿度が前記第１絶対湿度を超過している場合に、前記送風部の送風を停止させ、前記送風口を閉じさせ、前記熱交換器を前記露点温度で冷却する除湿運転を制御する制御部と、
を備える、空気調和装置。
【請求項２】
前記第１取得部は、
前記第１温度及び前記第１相対湿度を取得し、前記第１温度と前記第１相対湿度とから前記第１絶対湿度を算出する第１算出部を含み、
前記第２取得部は、
前記第１温度及び前記第１相対湿度を取得し、前記第１温度と前記第１相対湿度とから前記露点温度を算出する第２算出部を含み、
前記第３取得部は、
前記第２温度及び前記第２相対湿度を取得し、前記第２温度と前記第２相対湿度とから前記第２絶対湿度を算出する第３算出部を含む、
請求項１記載の空気調和装置。
【請求項３】
前記制御部は、前記第２絶対湿度が前記第１絶対湿度を超過している間、前記熱交換器の冷却を継続する、
請求項１記載の空気調和装置。
【請求項４】
前記制御部は、前記熱交換器の温度が前記露点温度を下回らない間、前記熱交換器の冷却を継続する、
請求項１記載の空気調和装置。
【請求項５】
室外の温度を示す第３温度を取得する第４取得部をさらに備え、
前記制御部は、前記第１温度又は前記第２温度が前記第３温度を超過している場合に、前記除湿運転を開始する、
請求項１記載の空気調和装置。
【請求項６】
前記制御部は、前記除湿運転において、前記第２絶対湿度が前記第１絶対湿度に到達した後、前記熱交換器の温度が前記露点温度を含む所定範囲内になるように前記熱交換器を冷却する、
請求項１記載の空気調和装置。
【請求項７】
プロセッサを用いて、室内の空気と冷媒とを熱交換する熱交換器と、前記熱交換器により冷却された空気を送風する送風部と、前記送風部により送風される空気を前記室内に送風するための送風口とを備える空気調和装置を制御する方法であって、
予め設定された温度を示す第１温度と予め設定された相対湿度を示す第１相対湿度とから決定される目標絶対湿度を示す第１絶対湿度を取得し、
前記第１温度と前記第１相対湿度とから決定される露点温度を取得し、
前記室内の温度を示す第２温度と前記室内の相対湿度を示す第２相対湿度とから決定される前記室内の絶対湿度を示す第２絶対湿度を取得し、
前記第２絶対湿度が前記第１絶対湿度を超過している場合に、前記送風部の送風を停止させ、前記送風口を閉じさせ、前記熱交換器を前記露点温度で冷却する除湿運転を制御する、
空調制御方法。
【発明の詳細な説明】
【技術分野】
【０００１】
本開示は、空気調和装置及び空調制御方法に関し、例えば、夏の夜の空調制御において、高めの冷房温度設定であっても、寝室で睡眠中に、好みの絶対湿度を維持するようにした空気調和装置及び空調制御方法に関するものである。
【背景技術】
【０００２】
これまで、人生の３分の１の時間を占めるとも言われる睡眠をより質の高いものにするため、睡眠中の温度環境をより睡眠に適した環境にするための空気調和装置（空気調和機）の制御方法が種々開発されている。また、人間の身体の睡眠中の代謝量は、起きている場合に比べて低下するため、通常の空調制御を行ったのでは、快適な睡眠を得ることができない。このため、従来から、睡眠時に適した冷房運転モードとして、「おやすみモード」などの名称で呼ばれる就寝モードが考えられ、この就寝モードに基づく冷房運転が行われている。
【０００３】
例えば、特許文献１には、以下の空気調和機が開示されている。すなわち、空気調和機は、就寝モード制御に基づく冷房運転を行い、漸増領域での冷房運転中にコンプレッサ回転数が所定レベルを下回り、且つ、空気調和目標温度と室内検出温度との差が所定値以下となった状態、又は室内検出湿度が就寝時の操作に基づく設定湿度を超えた状態が所定時間以上継続した場合に、室外熱交換器と、室内熱交換器との間に設けられている電子膨張弁の開度を通常冷房運転時よりも過絞り状態とする過絞り冷房運転を行う。
【０００４】
また、特許文献２には、以下の空気調和機が開示されている。すなわち、コンプレッサ、室外熱交換器、室内熱交換器、バイパス弁、ブリードポート弁等から構成した冷凍サイクル及びインバータ装置、室外ファン、室内ファン等の電気部品を備えた空気調和機の再熱ドライ運転において、インバータ装置を冷却する際、室外熱交換器における熱交換を最小にし、室内熱交換器に送る冷媒量を増大するようにする。
【０００５】
また、特許文献３には、以下の空気調和機が開示されている。すなわち、空気調和機は、圧縮機によって得た冷媒を室外熱交換器、膨張弁、分流器を介して分流し、一方の冷媒パスに開閉弁を介挿して入口より２つの冷媒パスに分流供給する室内熱交換器を経て同圧縮機に循環する冷凍サイクルを構成する。また、空気調和機は、膨張弁の出口の温度及び室内熱交換器の中間部の温度を各々検出する温度センサを設け、除湿運転時に、圧縮機を低速制御するとともに、室温と設定温度の温度差に応じて開閉弁を開閉制御する。また、空気調和機は、膨張弁の出口の温度と室内熱交換器の中間部の温度との温度差を所定の基準値とするように膨張弁の絞り量を制御することにより、室内熱交換器に流れる冷媒の液域を可変制御し、除湿能力を段階的に切り換える。
【０００６】
また、特許文献４には、以下の空気調和機が開示されている。すなわち、空気調和機は、容量可変型圧縮機と四方弁と室外熱交換器と減圧器とを有する室外機と、室内熱交換器を有する室内機とを互いに接続し、除湿運転時に、室内機に回動自在に設けられた風向変更羽根の角度を室内機の吹出口を閉塞する閉塞位置あるいはその近傍に設定する。
【先行技術文献】
【特許文献】
【０００７】
【特許文献１】特許第３９９９６０８号公報
【特許文献２】特開２００１−２８０６６８号公報
【特許文献３】特許第３４４６７９２号公報
【特許文献４】特許第３０１１７０８号公報
【発明の概要】
【発明が解決しようとする課題】
【０００８】
しかしながら、上記のような空気調和装置では、冷房運転が動作しにくい高めの温度設定の場合、適温及び適湿を実現することが困難であり、更なる改善が必要であった。
【０００９】
本開示は、上記の課題を解決するためになされたもので、冷房運転が動作しにくい高めの温度設定であっても、適温及び適湿を実現することができる空気調和装置及び空調制御方法を提供することを目的とするものである。
【課題を解決するための手段】
【００１０】
本開示の一態様に係る空気調和装置は、予め設定された温度を示す第１温度と予め設定された相対湿度を示す第１相対湿度とから決定される目標絶対湿度を示す第１絶対湿度を取得する第１取得部と、前記第１温度と前記第１相対湿度とから決定される露点温度を取得する第２取得部と、室内の温度を示す第２温度と前記室内の相対湿度を示す第２相対湿度とから決定される前記室内の絶対湿度を示す第２絶対湿度を取得する第３取得部と、前記室内の空気と冷媒とを熱交換する熱交換器と、前記熱交換器により冷却された空気を送風する送風部と、前記送風部により送風される空気を前記室内に送風するための送風口と、前記第２絶対湿度が前記第１絶対湿度を超過している場合に、前記送風部の送風を停止させ、前記送風口を閉じさせ、前記熱交換器を前記露点温度で冷却する除湿運転を制御する制御部と、を備える。
【発明の効果】
【００１１】
上記態様により、冷房運転が動作しにくい高めの温度設定であっても、適温及び適湿を実現することができる。
【図面の簡単な説明】
【００１２】
【図１】被験者が寝室で睡眠中の室内温度、室内相対温度、及び寝床内温度の状態変化の一例を示す図である。
【図２】本開示の実施の形態１における空気調和装置の構成の一例を示すブロック図である。
【図３】図２に示す絶対湿度設定値算出部が絶対湿度を求めるために用いる絶対湿度変換テーブルの一例を示す図である。
【図４】図２に示す露点温度算出部が露点温度を求めるために用いる露点温度変換テーブルの一例を示す図である。
【図５】図２に示す空気調和装置の湿度制御処理の一例を示すフローチャートである。
【図６】図５に示す強制結露除湿運転処理の一例を示すフローチャートである。
【図７】図２に示す空気調和装置の動作状態の一例を示す図である。
【図８】図５に示す強制結露除湿運転処理の他の一例を示すフローチャートである。
【図９】図８に示す強制結露除湿運転処理を実行した場合の空気調和装置の動作状態の一例を示す図である。
【図１０】本開示の実施の形態２における空気調和装置の構成の一例を示すブロック図である。
【図１１】図１０に示す空気調和装置の湿度制御処理の一例を示すフローチャートである。
【図１２】図１０に示す空気調和装置の動作状態の一例を示す図である。
【発明を実施するための形態】
【００１３】
（本開示の基礎となった知見）
上記の特許文献１においては、夏の夜明け頃に、冷房運転の動作停止期間が増え、湿度が上がった時点で不快を感じるという課題があった。
【００１４】
また、特許文献２においては、冷房運転を動作させた後、室内が冷え過ぎないように、ユーザの設定温度まで再加熱して、室内に送風しており、適温及び適湿を両立できるが、冷房後に再加熱するため、エネルギー効率が悪いという課題があった。
【００１５】
また、特許文献３においては、室内機に２つの熱交換器を設け、一方の熱交換器を高めの温度の冷房用に、他方の熱交換器を低めの温度の除湿用に制御し、室温が冷え過ぎない除湿を行っており、領域を分けて冷却温度を制御できる専用の熱交換器を使用するため、熱交換器の部品コストが上がるという課題があった。
【００１６】
また、特許文献４においては、室内機の吹出し口を閉じて冷風感を抑えているが、冷房運転は通常の動作のため、特許文献１と同様に、夏の夜明け頃の湿度上昇の不快感は残るという課題があった。
【００１７】
本願発明者等は、上記の課題に着目し、睡眠環境について、被験者実験を通じて鋭意検討した結果、上述のような就寝モードに基づく冷房運転では、夏の夜明け頃において、快適な睡眠を疎外する要因の１つとして、湿度の上昇が影響していることが分かった。図１は、被験者が寝室で睡眠中の室内温度、室内相対温度、及び寝床内温度の状態変化の一例を示す図である。
【００１８】
図１に示すように、まず、冷房運転開始時刻ｔ１において、空気調和装置の冷房運転の温度が２７℃に設定され、室内温度ＲＴが２７℃まで低下する。その後、就寝時刻ｔ２において、冷房運転の温度が２８℃に設定変更され、被験者は、入床して就寝する。次に、室内温度ＲＴが設定温度２８℃より２℃高い３０℃になる冷房運転動作開始時刻ｔ３まで、冷房運転は動作停止状態にあり、冷房運転動作開始時刻ｔ３において、冷房運転は動作状態になる。次に、冷房運転動作停止時刻ｔ４において、室内温度ＲＴが設定温度の２８℃に到達すると、冷房運転は動作停止状態となる。以降、冷房運転動作開始時刻ｔ５において、冷房運転が開始され、冷房運転動作停止時刻ｔ６において、冷房運転が停止され、冷房運転の動作開始及び動作停止が繰り返される。
【００１９】
このとき、夜間の屋外温度すなわち室外温度は、直射光がないため、夏であっても３０℃以下であり、夜明け頃は最低気温になり、２５℃以下になることがある。室外温度が室内の冷房運転の設定温度より低い場合、室内温度が冷房運転の動作開始温度に到達するまでの期間が長くなる。冷房運転の停止状態が長くなると、空気調和装置による除湿性能が低下し、室内相対湿度ＩＨが少しずつ上昇していく。
【００２０】
ここで、寝床内温度ＢＴ及び室内温度ＲＴはあまり変化しないが、不快相対湿度開始時刻ｔ７において、室内相対湿度ＩＨは６０％を超え、相対湿度が６０％を超える不快な期間ＵＰが発生する。したがって、本来まだ睡眠していたい時刻であっても、時刻ｔ８において、被験者が寝苦しくて起床してしまう事態が発生していた。この結果、睡眠中の寝室の適温と適湿（５０％台）とを両立する空調制御が重要であることが分かった。なお、図１では、就寝時の冷房運転の設定温度を２８℃の例としたが、これ以外でもよい。また、冷房運転の動作開始の室内温度を、設定温度＋２℃の例としたが、空気調和装置のメーカーの仕様で若干異なってもよい。
【００２１】
上記の被験者実験の結果から、本願発明者らは、冷房運転が動作しにくい高めの温度設定の場合に、体感温度が冷え過ぎることなく、適温及び適湿を高エネルギー効率及び低コストで如何にして実現するかについて鋭意検討を行った結果、本開示を完成したものである。
【００２２】
本開示の一態様に係る空気調和装置は、予め設定された温度を示す第１温度と予め設定された相対湿度を示す第１相対湿度とから決定される目標絶対湿度を示す第１絶対湿度を取得する第１取得部と、前記第１温度と前記第１相対湿度とから決定される露点温度を取得する第２取得部と、室内の温度を示す第２温度と前記室内の相対湿度を示す第２相対湿度とから決定される前記室内の絶対湿度を示す第２絶対湿度を取得する第３取得部と、前記室内の空気と冷媒とを熱交換する熱交換器と、前記熱交換器により冷却された空気を送風する送風部と、前記送風部により送風される空気を前記室内に送風するための送風口と、前記第２絶対湿度が前記第１絶対湿度を超過している場合に、前記送風部の送風を停止させ、前記送風口を閉じさせ、前記熱交換器を前記露点温度で冷却する除湿運転を制御する制御部と、を備える。
【００２３】
このような構成により、予め設定された温度を示す第１温度と予め設定された相対湿度を示す第１相対湿度とから決定される目標絶対湿度を示す第１絶対湿度を取得し、第１温度と第１相対湿度とから決定される露点温度を取得し、室内の温度を示す第２温度と室内の相対湿度を示す第２相対湿度とから決定される室内の絶対湿度を示す第２絶対湿度を取得する。ここで、第２絶対湿度が第１絶対湿度を超過している場合に、室内の空気と冷媒とを熱交換する熱交換器により冷却された空気を送風する送風部の送風を停止させるとともに、送風部により送風される空気を室内に送風するための送風口を閉じさせ、熱交換器を露点温度で冷却する除湿運転を行う。したがって、体感温度が冷え過ぎることなく、適温及び適湿を実現することができる。また、冷え過ぎ防止の再加熱処理をしないので、エネルギー効率がよい、空気調和装置の湿度制御を行うことができる。また、特殊な熱交換器を使わないので、部品コストが上がらない、空気調和装置の湿度制御を行うことができる。この結果、冷房運転が動作しにくい高めの温度設定であっても、体感温度が冷え過ぎることなく、適温及び適湿を高エネルギー効率及び低コストで実現することができる。
【００２４】
前記第１取得部は、前記第１温度及び前記第１相対湿度を取得し、前記第１温度と前記第１相対湿度とから前記第１絶対湿度を算出する第１算出部を含み、前記第２取得部は、前記第１温度及び前記第１相対湿度を取得し、前記第１温度と前記第１相対湿度とから前記露点温度を算出する第２算出部を含み、前記第３取得部は、前記第２温度及び前記第２相対湿度を取得し、前記第２温度と前記第２相対湿度とから前記第２絶対湿度を算出する第３算出部を含むようにしてもよい。
【００２５】
このような構成により、第１温度及び第１相対湿度を取得し、第１温度と第１相対湿度とから第１相対湿度を算出するとともに、第１温度と第１相対湿度とから露点温度を算出し、また、第２温度及び第２相対湿度を取得し、第２温度と第２相対湿度とから第２絶対湿度を算出する。このため、目標絶対湿度、露点温度、及び室内の絶対湿度を高精度に取得することができる。
【００２６】
前記制御部は、前記第２絶対湿度が前記第１絶対湿度を超過している間、前記熱交換器の冷却を継続するようにしてもよい。
【００２７】
このような構成により、第２絶対湿度が第１絶対湿度を超過している間、熱交換器の冷却を継続するので、室内を適温及び適湿な状態に維持することができる。
【００２８】
前記制御部は、前記熱交換器の温度が前記露点温度を下回らない間、前記熱交換器の冷却を継続するようにしてもよい。
【００２９】
このような構成により、熱交換器の温度が露点温度を下回らない間、熱交換器の冷却を継続するので、室内を適温及び適湿な状態に維持することができる。
【００３０】
前記空気調和装置は、室外の温度を示す第３温度を取得する第４取得部をさらに備え、前記制御部は、前記第１温度又は前記第２温度が前記第３温度を超過している場合に、前記除湿運転を開始するようにしてもよい。
【００３１】
このような構成により、室外の温度を示す第３温度を取得し、第１温度又は第２温度が第３温度を超過している場合に、除湿運転を開始する。このため、予め設定された温度又は室内の温度が室外の温度より高い場合に除湿運転を開始することができ、室内を適温及び適湿な状態にすることができる。
【００３２】
前記制御部は、前記除湿運転において、前記第２絶対湿度が前記第１絶対湿度に到達した後、前記熱交換器の温度が前記露点温度を含む所定範囲内になるように前記熱交換器を冷却するようにしてもよい。
【００３３】
このような構成により、除湿運転時に、第２絶対湿度が第１絶対湿度に到達した後、熱交換器の温度が露点温度を含む所定範囲内になるように熱交換器を冷却する。このため、室内の温度が冷たくなりすぎることを防止しつつ、室内を適温及び適湿な状態に維持することができる。
【００３４】
また、本開示の他の態様に係る空気調和装置は、予め設定された温度を示す第１温度を取得する第１取得部と、室内の温度を示す第２温度を取得する第２取得部と、前記室内の空気と冷媒とを熱交換する熱交換器と、前記熱交換器により冷却された空気を送風する送風部と、前記送風部により送風される空気を前記室内に送風するための送風口と、前記送風部に送風させ、前記送風口を開かせ、前記第２温度が前記第１温度になるように、前記熱交換器を冷却する冷房運転と、前記熱交換器を冷却して前記室内の除湿を行う除湿運転と、を制御する制御部と、前記冷房運転及び前記除湿運転の切り替えを判定する判定部と、を備え、前記判定部は、時系列において隣接する前記冷房運転の動作時間と停止時間との差に応じて、前記冷房運転から前記除湿運転への切り替えを判定し、前記制御部は、前記冷房運転から前記除湿運転への切り替えの判定結果に応じて、前記冷房運転を前記除湿運転へ切り替える。
【００３５】
このような構成により、予め設定された温度を示す第１温度を取得し、室内の温度を示す第２温度を取得する。また、室内の空気と冷媒とを熱交換する熱交換器により冷却された空気を送風する送風部に送風させ、送風部により送風される空気を室内に送風するための送風口を開かせ、第２温度が第１温度になるように、熱交換器を冷却する冷房運転と、熱交換器を冷却して室内の除湿を行う除湿運転とを制御する。このとき、時系列において隣接する冷房運転の動作時間と停止時間との差に応じて、冷房運転から除湿運転への切り替えを判定し、冷房運転から除湿運転への切り替えの判定結果に応じて、冷房運転を除湿運転へ切り替える。したがって、室内の相対湿度が上昇して不快な状態になる前に、冷房運転から除湿運転に切り替えることができる。この結果、冷房運転が動作しにくい高めの温度設定であっても、体感温度が冷え過ぎることなく、適温及び適湿を実現することができる。
【００３６】
前記制御部は、前記除湿運転時に、前記送風部の送風を停止させ、前記送風口を閉じさせるようにしてもよい。
【００３７】
このような構成により、除湿運転時に、送風部の送風を停止させるとともに、送風口を閉じさせる。このため、除湿された冷気が室内に直接的に送風されず、室内を適温及び適湿な状態にすることができる。
【００３８】
前記冷房運転の動作時間は、前記熱交換器の冷却時間を含むようにしてもよい。
【００３９】
このような構成により、熱交換器の冷却時間を基に冷房運転から除湿運転への切り替えを判定する。このため、室内の相対湿度が上昇して不快な状態になる前に、冷房運転から除湿運転に確実に切り替えることができる。
【００４０】
前記判定部は、前記冷房運転の動作時間と停止時間との差が所定の閾値以上になった場合、前記冷房運転から前記除湿運転への切り替えを判定するようにしてもよい。
【００４１】
このような構成により、冷房運転の動作時間と停止時間との差が所定の閾値以上になった場合、冷房運転から除湿運転への切り替えを判定する。このため、室内の相対湿度が上昇して不快な状態になる前に、冷房運転から除湿運転に確実に切り替えることができる。
【００４２】
前記空気調和装置は、予め設定された相対湿度を示す第１相対湿度を取得する第３取得部と、前記室内の相対湿度を示す第２相対湿度を取得する第４取得部と、前記第１温度と前記第１相対湿度とから前記室内の目標絶対湿度を示す第１絶対湿度を算出する第１算出部と、前記第１温度と前記第１相対湿度とから露点温度を算出する第２算出部と、前記第２温度と前記第２相対湿度とから前記室内の絶対湿度を示す第２絶対湿度を算出する第３算出部とをさらに備え、前記制御部は、前記除湿運転として、前記第２絶対湿度が前記第１絶対湿度を超過している場合に、前記送風部の送風を停止させ、前記送風口を閉じさせ、前記熱交換器を前記露点温度で冷却するようにしてもよい。
【００４３】
このような構成により、予め設定された相対湿度を示す第１相対湿度を取得し、室内の相対湿度を示す第２相対湿度を取得する。また、第１温度と第１相対湿度とから室内の目標絶対湿度を示す第１絶対湿度を算出し、第１温度と第１相対湿度とから露点温度を算出し、第２温度と第２相対湿度とから室内の絶対湿度を示す第２絶対湿度を算出する。このとき、除湿運転として、第２絶対湿度が第１絶対湿度を超過している場合に、送風部の送風を停止させ、送風口を閉じさせ、熱交換器を露点温度で冷却する。したがって、体感温度が冷え過ぎることなく、適温及び適湿を実現するとことができる。また、冷え過ぎ防止の再加熱処理をしないので、エネルギー効率がよい、空気調和装置の湿度運転を行うことができる。また、特殊な熱交換器を使わないので、部品コストが上がらない、空気調和装置の湿度運転を行うことができる。この結果、冷房運転が動作しにくい高めの温度設定であっても、体感温度が冷え過ぎることなく、適温及び適湿を高エネルギー効率及び低コストで実現することができる。
【００４４】
また、本開示の他の態様に係る空気調和装置は、予め設定された温度を示す第１温度を取得する第１取得部と、室内の温度を示す第２温度を取得する第２取得部と、室外の温度を示す第３温度を取得する第３取得部と、前記室内の空気と冷媒とを熱交換する熱交換器と、前記熱交換器により冷却された空気を送風する送風部と、前記送風部により送風される空気を前記室内に送風するための送風口と、前記送風部に送風させ、前記送風口を開かせ、前記第２温度が前記第１温度になるように、前記熱交換器を冷却する冷房運転と、前記熱交換器を冷却して前記室内の除湿を行う除湿運転と、を制御する制御部と、前記冷房運転及び前記除湿運転の切り替えを判定する判定部と、を備え、前記判定部は、前記第１温度又は前記第２温度と前記第３温度との差に応じて、前記冷房運転から前記除湿運転への切り替えを判定し、前記制御部は、前記冷房運転から前記除湿運転への切り替えの判定結果に応じて、前記冷房運転を前記除湿運転へ切り替える。
【００４５】
このような構成により、予め設定された温度を示す第１温度を取得し、室内の温度を示す第２温度を取得し、室外の温度を示す第３温度を取得する。また、室内の空気と冷媒とを熱交換する熱交換器により冷却された空気を送風する送風部に送風させ、送風部により送風される空気を室内に送風するための送風口を開かせ、第２温度が第１温度になるように、熱交換器を冷却する冷房運転と、熱交換器を冷却して室内の除湿を行う除湿運転とを制御する。このとき、第１温度又は第２温度と第３温度との差に応じて、冷房運転から除湿運転への切り替えを判定し、冷房運転から除湿運転への切り替えの判定結果に応じて、冷房運転を除湿運転へ切り替える。したがって、室内の相対湿度が上昇して不快な状態になる前に、冷房運転から除湿運転に切り替えることができる。この結果、冷房運転が動作しにくい高めの温度設定であっても、体感温度が冷え過ぎることなく、適温及び適湿を実現することができる。
【００４６】
前記制御部は、前記除湿運転時に、前記送風部の送風を停止させ、前記送風口を閉じさせるようにしてもよい。
【００４７】
このような構成により、除湿運転時に、送風部の送風を停止させるとともに、送風口を閉じさせる。このため、除湿された冷気が室内に直接的に送風されず、室内を適温及び適湿な状態にすることができる。
【００４８】
前記判定部は、前記第１温度又は前記第２温度と前記第３温度との差が所定の閾値以上になった場合、前記冷房運転から前記除湿運転への切り替えを判定するようにしてもよい。
【００４９】
このような構成により、第１温度又は第２温度と第３温度との差が所定の閾値以上になった場合、冷房運転から除湿運転への切り替えを判定する。このため、室内の相対湿度が上昇して不快な状態になる前に、冷房運転から除湿運転に確実に切り替えることができる。
【００５０】
また、本開示は、以上のような特徴的な構成を備える空気調和装置として実現することができるだけでなく、プロセッサ等を用いて、空気調和装置が備える特徴的な構成に対応する特徴的な処理を実行する空調制御方法などとして実現することもできる。したがって、以下の他の態様でも、上記の空気調和装置と同様の効果を奏することができる。
【００５１】
本開示の他の態様に係る空調制御方法は、プロセッサを用いて、室内の空気と冷媒とを熱交換する熱交換器と、前記熱交換器により冷却された空気を送風する送風部と、前記送風部により送風される空気を前記室内に送風するための送風口とを備える空気調和装置を制御する方法であって、予め設定された温度を示す第１温度と予め設定された相対湿度を示す第１相対湿度とから決定される目標絶対湿度を示す第１絶対湿度を取得し、前記第１温度と前記第１相対湿度とから決定される露点温度を取得し、前記室内の温度を示す第２温度と前記室内の相対湿度を示す第２相対湿度とから決定される前記室内の絶対湿度を示す第２絶対湿度を取得し、前記第２絶対湿度が前記第１絶対湿度を超過している場合に、前記送風部の送風を停止させ、前記送風口を閉じさせ、前記熱交換器を前記露点温度で冷却する除湿運転を制御する。
【００５２】
本開示の他の態様に係る空調制御方法は、プロセッサを用いて、室内の空気と冷媒とを熱交換する熱交換器と、前記熱交換器により冷却された空気を送風する送風部と、前記送風部により送風される空気を前記室内に送風するための送風口とを備える空気調和装置を制御する方法であって、予め設定された温度を示す第１温度を取得し、前記室内の温度を示す第２温度を取得し、前記送風部に送風させ、前記送風口を開かせ、前記第２温度が前記第１温度になるように、前記熱交換器を冷却する冷房運転と、前記熱交換器を冷却して前記室内の除湿を行う除湿運転との切り替えを、時系列において隣接する前記冷房運転の動作時間と停止時間との差に応じて判定し、前記冷房運転から前記除湿運転への切り替えの判定結果に応じて、前記冷房運転を前記除湿運転へ切り替える。
【００５３】
また、本開示の他の態様に係る空調制御方法は、プロセッサを用いて、室内の空気と冷媒とを熱交換する熱交換器と、前記熱交換器により冷却された空気を送風する送風部と、前記送風部により送風される空気を前記室内に送風するための送風口とを備える空気調和装置を制御する方法であって、予め設定された温度を示す第１温度を取得し、前記室内の温度を示す第２温度を取得し、室外の温度を示す第３温度を取得し、前記送風部に送風させ、前記送風口を開かせ、前記第２温度が前記第１温度になるように、前記熱交換器を冷却する冷房運転と、前記熱交換器を冷却して前記室内の除湿を行う除湿運転との切り替えを、前記第１温度又は前記第２温度と前記第３温度との差に応じて判定し、前記冷房運転から前記除湿運転への切り替えの判定結果に応じて、前記冷房運転を前記除湿運転へ切り替える。
【００５４】
なお、以下で説明する実施の形態は、いずれも包括的又は具体的な例を示すものである。また、以下の実施の形態で示される数値、形状、構成要素、ステップ、ステップの順序などは、一例であり、本開示を限定する主旨ではない。また、以下の実施の形態における構成要素のうち、最上位概念を示す独立請求項に記載されていない構成要素については、任意の構成要素として説明される。また、全ての実施の形態において、各々の内容を任意に組み合わせることもできる。
【００５５】
以下、本開示の実施の形態について、図面を参照しながら説明する。
【００５６】
（実施の形態１）
図２は、本開示の一実施の形態における空気調和装置の構成の一例を示すブロック図である。図２に示す空気調和装置は、例えば、エアコン等から構成され、室内機２００及び室外機２０１を備える。
【００５７】
室内機２００は、室内相対湿度設定値保持部２０２、室内温度設定値保持部２０３、絶対湿度設定値算出部２０４、室内相対湿度検出部２０５、室内温度検出部２０６、絶対湿度算出部２０７、絶対湿度比較部２０８、露点温度算出部２０９、室内温度比較部２１０、熱交換器温度設定値算出部２１１、熱交換器設定温度選択部２１２、室内外温度比較部２１４、動作モード判定部２１５、熱交換器温度検出部２１６、熱交換器温度比較判定部２１７、室内熱交換器２２０、室内機ファン／吹出し口動作設定保持部２２１、室内機ファン／吹出し口動作判定部２２２、室内機ファン／吹出し口制御部２２３、室内機ファン２２４、及び吹出し口２２５を備える。室外機２０１は、室外温度検出部２１３、圧縮機２１８、及び圧縮機制御部２１９を備える。
【００５８】
室内相対湿度設定値保持部２０２は、設定相対湿度Ｕ１として、ユーザ又は空気調和装置のメーカー等が設定した寝室等の室内の相対湿度の設定値を取得して保持している。設定相対湿度Ｕ１は、予め設定された相対湿度を示す第１相対湿度の一例である。
【００５９】
ここで、相対湿度は、ある温度の空気中に含みうる最大限の水分量（飽和水蒸気量）に比べて、どの程度の水分を含んでいるかを示す値で［％ＲＨ］で表す。例えば、相対湿度１００％ＲＨは、「もうこれ以上空気中に水蒸気は含めません」（飽和空気）という状態である。飽和水蒸気量は、温度が上げれば増え、温度が下がると減るので、同じ水分量でも、温度が変わると相対湿度は変化する。室内の相対湿度が６０％ＲＨを超えると、寝苦しくなるため、設定相対湿度Ｕ１として、５０〜６０％ＲＨの範囲内の値を用いることができる。本実施の形態では、例えば、５０％ＲＨを用いる。なお、設定相対湿度Ｕ１は、この例に特に限定されず、ユーザが快湿と感じる種々の値を用いることができる。
【００６０】
室内温度設定値保持部２０３は、設定温度Ｔ１として、ユーザ又は空気調和装置のメーカー等が設定した寝室等の室内の温度の設定値を取得して保持している。設定温度Ｔ１は、予め設定された温度を示す第１温度の一例である。
【００６１】
絶対湿度設定値算出部２０４は、設定温度Ｔ１と設定相対湿度Ｕ１とから決定される目標絶対湿度Ｄ１を取得する。具体的には、絶対湿度設定値算出部２０４は、室内温度設定値保持部２０３から設定温度Ｔ１を取得し、室内相対湿度設定値保持部２０２から設定相対湿度Ｕ１を取得し、設定温度Ｔ１と設定相対湿度Ｕ１とから目標絶対湿度Ｄ１を算出する。目標絶対湿度Ｄ１は、目標値となる室内の目標絶対湿度を示す第１絶対湿度の一例である。
【００６２】
ここで、絶対湿度には、乾燥空気１ｋｇ中の水蒸気量（ｋｇ）を表す重量絶対湿度（ｋｇ／ｋｇ（ＤＡ））と、空気１ｍ３中の水蒸気量（ｇ）を表す容積絶対湿度（ｇ／ｍ３）とがある。温度が変わっても、絶対湿度の値は変わらない。本実施の形態では、例えば、目標絶対湿度Ｄ１として、容積絶対湿度（ｇ／ｍ３）を用いる。具体的には、Ｔｅｔｅｎｓの式を示す空気線図（グラフ）を用いて、主要な温度及び相対湿度と絶対湿度との対応関係を示す変換テーブルを予め作成し、この変換テーブルを用いて絶対湿度を算出する。
【００６３】
図３は、図２に示す絶対湿度設定値算出部２０４が絶対湿度を求めるために用いる絶対湿度変換テーブルの一例を示す図である。なお、図３では、表記を容易にするため、相対湿度の単位を単に［％］で表している。
【００６４】
絶対湿度設定値算出部２０４は、図３に示す絶対湿度変換テーブルを内部のメモリ等に予め記憶しており、設定温度Ｔ１が示す室温と、設定相対湿度Ｕ１が示す相対湿度とから目標絶対湿度Ｄ１を算出する。例えば、設定温度Ｔ１が示す室温が２８℃であり、設定相対湿度Ｕ１が示す相対湿度が５０％である場合、目標絶対湿度Ｄ１として、１１．８ｇ／ｍ３が算出される。
【００６５】
なお、図３に示す絶対湿度変換テーブルは、演算式をテーブルに置き換えたものであるが、この例に特に限定されない。例えば、空気調和装装置のメーカー仕様、寝室の広さ、空気調和装装置と寝床との位置関係等によって、調整係数を掛けた変換テーブルを用いてもよい。また、絶対湿度の算出方法は、上記の例に特に限定されない。例えば、公知のＴｅｔｅｎｓの式等の近似式を用いて算出する等の種々の変更が可能である。これらの点に関しては、後述する絶対湿度算出部２０７も同様である。
【００６６】
室内相対湿度検出部２０５は、湿度センサ等から構成され、室内相対湿度Ｕ２として、室内機２００が設置された室内の相対湿度を検出して取得する。室内相対湿度Ｕ２は、現在の室内の相対湿度を示す第２相対湿度の一例である。
【００６７】
室内温度検出部２０６は、温度センサ等から構成され、室内温度Ｔ２として、室内機２００が設置された寝室等の室内の温度を検出して取得する。室内温度Ｔ２は、現在の室内の温度を示す第２温度の一例である。
【００６８】
絶対湿度算出部２０７は、室内温度Ｔ２と室内相対湿度Ｕ２とから決定される室内絶対湿度Ｄ２を取得する。具体的には、絶対湿度算出部２０７は、室内温度検出部２０６から室内温度Ｔ２を取得し、室内相対湿度検出部２０５から室内相対湿度Ｕ２を取得し、室内温度Ｔ２と室内相対湿度Ｕ２とから室内絶対湿度Ｄ２を算出する。室内絶対湿度Ｄ２は、現在の室内の絶対湿度を示す第２絶対湿度の一例である。本実施の形態では、絶対湿度算出部２０７は、例えば、絶対湿度設定値算出部２０４と同様に、図３に示す絶対湿度変換テーブルを用いて、室内温度Ｔ２と室内相対湿度Ｕ２とから室内絶対湿度Ｄ２を算出する。
【００６９】
絶対湿度比較部２０８は、絶対湿度算出部２０７が算出した現在の室内絶対湿度Ｄ２と、絶対湿度設定値算出部２０４が算出した目標絶対湿度Ｄ１とを比較し、現在の室内絶対湿度Ｄ２から目標絶対湿度Ｄ１を減算した絶対湿度差Δｔ４を算出する。
【００７０】
露点温度算出部２０９は、設定温度Ｔ１と設定相対湿度Ｕ１とから決定される露点温度ＴＤを取得する。具体的には、露点温度算出部２０９は、室内温度設定値保持部２０３から設定温度Ｔ１を取得し、室内相対湿度設定値保持部２０２から設定相対湿度Ｕ１を取得し、設定温度Ｔ１と設定相対湿度Ｕ１とから露点温度ＴＤを算出する。
【００７１】
ここで、露点温度は、空気を冷却することにより、空気中の水分が結露し始める時の温度を指す。つまり、露点温度は、相対湿度が１００％ＲＨになった状態のときの空気の温度である。本実施の形態では、例えば、温度（乾球）及び相対湿度と露点温度との対応関係を示す変換テーブルを予め作成し、この変換テーブルを用いて露点温度を算出する。
【００７２】
図４は、図２に示す露点温度算出部２０９が露点温度を求めるために用いる露点温度変換テーブルの一例を示す図である。なお、図４では、表記を容易にするため、相対湿度の単位を単に［％］で表している。
【００７３】
露点温度算出部２０９は、図４に示す露点温度変換テーブルを内部のメモリ等に予め記憶しており、設定温度Ｔ１が示す室温と、設定相対湿度Ｕ１が示す相対湿度とから露点温度ＴＤを算出する。例えば、設定温度Ｔ１が示す室温が２８℃であり、設定相対湿度Ｕ１が示す相対湿度が５０％である場合、露点温度ＴＤとして、１６．６℃が算出される。
【００７４】
なお、図４に示す露点温度変換テーブルは、演算式をテーブルに置き換えたものであるが、この例に特に限定されない。例えば、空気調和装置のメーカー仕様、寝室の広さ、空気調和装装置と寝床との位置関係等によって、調整係数を掛けた変換テーブルを用いてもよい。また、露点温度の算出方法は、上記の例に特に限定されない。例えば、公知の近似式等を用いて算出する等の種々の変更が可能である。
【００７５】
室内温度比較部２１０は、室内温度検出部２０６が検出した室内温度Ｔ２と、室内温度設定値保持部２０３から取得した設定温度Ｔ１とを比較し、室内温度Ｔ２から設定温度Ｔ１を減算した設定温度差Δｔ１を算出する。
【００７６】
熱交換器温度設定値算出部２１１は、設定温度差Δｔ１を基に室内熱交換器２２０の冷房運転モード用の設定温度ＨＴを算出する。
【００７７】
室外温度検出部２１３は、温度センサ等から構成され、室外温度Ｔ３として、室外機２０１が設置された屋外すなわち室外の温度を検出して取得する。室外温度Ｔ３は、室外の温度を示す第３温度の一例である。
【００７８】
室内外温度比較部２１４は、室内温度設定値保持部２０３から取得した設定温度Ｔ１と、室外温度検出部２１３が検出した現在の室外温度Ｔ３とを比較し、設定温度Ｔ１から室外温度Ｔ３を減算した内外温度差Δｔ２を算出する。なお、内外温度差Δｔ２は、上記の例に特に限定されない。例えば、室内外温度比較部２１４は、室内温度検出部２０６が検出した現在の室内温度Ｔ２と、室外温度検出部２１３が検出した現在の室外温度Ｔ３とを比較し、室内温度Ｔ２から室外温度Ｔ３を減算した値を内外温度差Δｔ２として算出するようにしてもよい。この例では、室内温度Ｔ２を正確に検出できた場合、後述する冷房運転モードから強制結露除湿運転モードへの切り替えを正確に判定することができ、確実に室内を適温及び適湿な状態にすることができる。
【００７９】
動作モード判定部２１５は、内外温度差Δｔ２を基に、現在の動作モードが冷房運転モード及び強制結露除湿運転モード等のうちいずれの動作モードであるかを判定する。ここで、冷房運転モードによる空気調和装置の運転は、冷房運転の一例であり、強制結露除湿運転モードによる空気調和装置の運転は、除湿運転の一例である。
【００８０】
具体的には、動作モード判定部２１５は、内外温度差Δｔ２が所定の閾値３（例えば、３℃）以上である場合、現在の動作モードを強制結露除湿運転モードと判定し、内外温度差Δｔ２が閾値３以上でない場合、現在の動作モードを冷房運転モードと判定する。なお、閾値３は、上記の例に特に限定されず、種々の値を用いることができる。
【００８１】
動作モード判定部２１５は、現在の動作モードを強制結露除湿運転モードと判定した後、内外温度差Δｔ２が所定の閾値６（例えば、０℃）以下である場合、現在の動作モードを冷房運転モードと判定し、内外温度差Δｔ２が閾値６以下でない場合、現在の動作モードを強制結露除湿運転モードと判定する。なお、閾値６は、上記の例に特に限定されず、種々の値を用いることができる。
【００８２】
室内機ファン／吹出し口動作設定保持部２２１は、冷房運転モード及び強制結露除湿運転モード等の動作モード毎に設定されている室内機ファン２２４及び吹出し口２２５の動作状態を予め保持して記憶している。
【００８３】
室内機ファン／吹出し口動作判定部２２２は、室内機ファン／吹出し口動作設定保持部２２１を参照して、動作モード判定部２１５が判定した動作モードに対応する室内機ファン２２４及び吹出し口２２５の動作を判定する。
【００８４】
室内機ファン／吹出し口制御部２２３は、室内機ファン／吹出し口動作判定部２２２が判定した動作となるように、室内機ファン２２４及び吹出し口制御部２２３の動作を制御する。
【００８５】
室内機ファン２２４は、室内熱交換器２２０により冷却された空気を送風する送風部の一例である。室内機ファン２２４は、冷房運転モードのときに室内熱交換器２２０により冷却された空気を送風し、強制結露除湿運転モードのときに送風を停止する。
【００８６】
吹出し口２２５は、室内機ファン２２４により送風される空気を室内に送風するための送風口の一例である。吹出し口２２５は、ルーバー等から構成されている。吹出し口２２５は、冷房運転モードのときに開かれており、室内機ファン２２４により室内に送風される空気の方向を調整し、強制結露除湿運転モードのときに閉じられている。
【００８７】
具体的には、動作モード判定部２１５が冷房運転モードと判定している場合、室内機ファン／吹出し口制御部２２３は、室内機ファン２２４に送風させ、吹出し口２２５を開かせる。また、動作モード判定部２１５が強制結露除湿運転モードと判定している場合、室内機ファン／吹出し口制御部２２３は、室内機ファン２２４を停止させ、吹出し口２２５を閉じさせる。
【００８８】
なお、強制結露除湿運転の動作は、上記の例に特に限定されない。例えば、強制結露除湿運転のときに、室内機ファン２２４に送風させたり、吹出し口２２５を開かせたりしてもよい。また、強制結露除湿運転に代えて、公知の除湿運転を用いてもよい。公知の除湿運転の方式としては、除湿のために熱交換器により冷やされた空気をそのまま送出する方式、及び熱交換器により冷やされた空気を暖めた後に当該空気を送出する方式があるが、いずれの方式の除湿運転が用いられてもよい。例えば、前者の方式として、上記の特許文献１に開示される過絞り冷房運転などの弱冷房除湿運転が用いられてもよく、後者の方式として、上記の特許文献２に開示される再熱ドライ運転が用いられてもよい。
【００８９】
熱交換器設定温度選択部２１２は、動作モード判定部２１５が冷房運転モードと判定している場合、熱交換器温度設定値算出部２１１が算出した冷房運転モード用の設定温度ＨＴを選択する。また、熱交換器設定温度選択部２１２は、動作モード判定部２１５が強制結露除湿運転モードと判定している場合、露点温度算出部２０９が算出した露点温度ＴＤを選択する。
【００９０】
室内熱交換器２２０は、室内の空気と冷媒とを熱交換する熱交換器の一例である。具体的には、冷房運転モード及び強制結露除湿運転モードにおいて、圧縮機２１８から吐出される冷媒が用いられる。室外機２０１の室外熱交換器（図示省略）は、凝縮器として作用し、室内熱交換器２２０は、蒸発器として作用することで、室内の空気を冷却する。
【００９１】
熱交換器温度検出部２１６は、温度センサ等から構成され、熱交換器温度Ｔ４として、室内熱交換器２２０の現在の温度Ｔ４を検出する。
【００９２】
動作モード判定部２１５が冷房運転モードと判定している場合、熱交換器温度比較判定部２１７は、熱交換器温度検出部２１６により検出された室内熱交換器２２０の現在の温度Ｔ４と、熱交換器設定温度選択部２１２により選択された冷房運転モード用の設定温度ＨＴとを比較する。熱交換器温度比較判定部２１７は、室内熱交換器２２０の温度Ｔ４と冷房運転モード用の設定温度ＨＴとの比較結果を基に、室内温度Ｔ２が設定温度Ｔ１になるように、室内熱交換器２２０を冷却する冷房運転を制御する。具体的には、熱交換器温度比較判定部２１７は、圧縮機制御部２１９を用いて圧縮機２１８の回転を制御する。圧縮機制御部２１９は、熱交換器温度比較判定部２１７からの制御指示に従い、冷房運転モードにおける圧縮機２１８の回転数を制御する。
【００９３】
一方、動作モード判定部２１５が強制結露除湿運転モードと判定している場合、熱交換器温度比較判定部２１７は、熱交換器温度検出部２１６により検出された室内熱交換器２２０の現在の温度Ｔ４と、熱交換器設定温度選択部２１２により選択された露点温度ＴＤとを比較する。熱交換器温度比較判定部２１７は、室内熱交換器２２０の温度Ｔ４と露点温度ＴＤとの比較結果を基に、現在の室内絶対湿度Ｄ２が目標絶対湿度Ｄ１を超過している場合に、室内熱交換器２２０を露点温度ＴＤで冷却する強制結露除湿運転を制御する。具体的には、熱交換器温度比較判定部２１７は、圧縮機制御部２１９を用いて圧縮機２１８の回転を制御する。圧縮機制御部２１９は、熱交換器温度比較判定部２１７からの制御指示に従い、強制結露除湿運転モードにおける圧縮機２１８の回転数を制御する。
【００９４】
また、熱交換器温度比較判定部２１７は、設定温度Ｔ１（又は室内温度Ｔ２）が室外温度Ｔ３を超過している場合に、強制結露除湿運転を開始する。
【００９５】
また、動作モード判定部２１５が強制結露除湿運転モードと判定している場合、熱交換器温度比較判定部２１７は、現在の室内絶対湿度Ｄ２が目標絶対湿度Ｄ１を超過している間に、室内熱交換器２２０の露点温度ＴＤでの冷却を継続する。また、熱交換器温度比較判定部２１７は、室内熱交換器２２０の温度Ｔ４が露点温度ＴＤを下回らない間、室内熱交換器２２０の冷却を継続する。なお、熱交換器温度比較判定部２１７は、強制結露除湿運転において、室内絶対湿度Ｄ２が目標絶対湿度Ｄ１に到達した後、室内絶対湿度Ｄ２が目標絶対湿度Ｄ１を含む所定範囲内（例えば、０．５℃の範囲）になるように室内熱交換器２２０を冷却するようにしてもよい。
【００９６】
具体的には、動作モードが冷房運転モードの場合、熱交換器温度比較判定部２１７は、室内温度比較部２１０により算出された設定温度差Δｔ１が所定の閾値１（例えば、２℃）以上であるか否かを判断する。なお、閾値１は、上記の例に特に限定されず、種々の値を用いることができる。
【００９７】
設定温度差Δｔ１が閾値１以上である場合、熱交換器温度比較判定部２１７は、圧縮機制御部２１９を用いて、圧縮機２１８をＯＮして室内熱交換器２２０を設定温度ＨＴで冷却する。一方、設定温度差Δｔ１が閾値１以上でない場合、熱交換器温度比較判定部２１７は、圧縮機制御部２１９を用いて、圧縮機２１８をＯＦＦする。
【００９８】
また、熱交換器温度比較判定部２１７は、圧縮機２１８をＯＮした後、設定温度差Δｔ１が所定の閾値２（例えば、０℃）以下であるか否かを判断する。なお、閾値２は、上記の例に特に限定されず、種々の値を用いることができる。
【００９９】
設定温度差Δｔ１が閾値２以下である場合、熱交換器温度比較判定部２１７は、圧縮機制御部２１９を用いて、圧縮機２１８をＯＦＦする。一方、設定温度差Δｔ１が閾値２以下でない場合、熱交換器温度比較判定部２１７は、圧縮機２１８のＯＮ動作を継続して室内熱交換器２２０の設定温度ＨＴでの冷却を継続する。この結果、圧縮機２１８は、設定温度差Δｔ１が閾値１以上になったときにＯＮされ、設定温度差Δｔ１が閾値２以下になったときにＯＦＦされる動作を繰り返す。このようにして、室内温度Ｔ２が設定温度Ｔ１になるように冷房運転が行われる。
【０１００】
一方、動作モードが強制結露除湿運転モードの場合、熱交換器温度比較判定部２１７は、熱交換器温度検出部２１６が検出した熱交換器温度Ｔ４と、熱交換器設定温度選択部２１２が選択した露点温度ＴＤとを比較し、現在の熱交換器温度Ｔ４から目標値の露点温度ＴＤを減算した熱交換器温度差Δｔ３を算出する。熱交換器温度比較判定部２１７は、熱交換器温度差Δｔ３が所定の閾値４（例えば、０℃）より大きいか否かを判断する。なお、閾値４は、上記の例に特に限定されず、種々の値を用いることができる。
【０１０１】
熱交換器温度差Δｔ３が閾値４より大きい場合、熱交換器温度比較判定部２１７は、圧縮機制御部２１９を用いて、圧縮機２１８をＯＮして室内熱交換器２２０を露点温度ＴＤで冷却する。一方、熱交換器温度差Δｔ３が閾値４より大きくない場合、熱交換器温度比較判定部２１７は、圧縮機制御部２１９を用いて、圧縮機２１８をＯＦＦする。
【０１０２】
また、熱交換器温度比較判定部２１７は、圧縮機２１８をＯＮした後、絶対湿度差Δｔ４が所定の閾値５（例えば、０ｇ／ｍ３）より大きいか否かを判断する。絶対湿度差Δｔ４が閾値５より大きくない場合、熱交換器温度比較判定部２１７は、圧縮機制御部２１９を用いて、圧縮機２１８をＯＦＦする。なお、閾値５は、上記の例に特に限定されず、種々の値を用いることができる。
【０１０３】
上記のように、動作モード判定部２１５は、設定温度Ｔ１（又は室内温度Ｔ２）と室外温度Ｔ３との差に応じて、冷房運転から強制結露除湿運転への切り替えを判定する。具体的には、動作モード判定部２１５は、設定温度Ｔ１（又は室内温度Ｔ２）と室外温度Ｔ３との差が閾値３以上になった場合、冷房運転から強制結露除湿運転への切り替えを判定する。
【０１０４】
また、熱交換器温度比較判定部２１７及び室内機ファン／吹出し口制御部２２３は、室内機ファン２２４に送風させ、吹出し口２２５を開かせ、室内温度Ｔ２が設定温度Ｔ１になるように、室内熱交換器２２０を冷却する冷房運転を制御する。熱交換器温度比較判定部２１７及び室内機ファン／吹出し口制御部２２３は、室内機ファン２２４を停止させ、吹出し口２２５を閉じさせ、室内熱交換器２２０を露点温度ＴＤで冷却して室内の除湿を行う強制結露除湿運転を制御する。そして、熱交換器温度比較判定部２１７及び室内機ファン／吹出し口制御部２２３は、動作モード判定部２１５の切り替えの判定結果に応じて、冷房運転を強制結露除湿運転へ切り替える。
【０１０５】
本実施の形態において、絶対湿度設定値算出部２０４は、第１取得部又は第１算出部の一例であり、露点温度算出部２０９は、第２取得部又は第２算出部の一例であり、絶対湿度算出部２０７は、第３取得部又は第３算出部の一例であり、熱交換器温度比較判定部２１７及び室内機ファン／吹出し口制御部２２３は、制御部の一例である。また、室外温度検出部２１３は、第４取得部の一例である。
【０１０６】
また、室内温度設定値保持部２０３は、別の第１取得部の一例であり、室内温度検出部２０６は、別の第２取得部の一例であり、室外温度検出部２１３は、別の第３取得部の一例である。動作モード判定部２１５は、判定部の一例であり、熱交換器温度比較判定部２１７及び室内機ファン／吹出し口制御部２２３は、別の制御部の一例である。
【０１０７】
ここで、絶対湿度設定値算出部２０４、露点温度算出部２０９、絶対湿度算出部２０７、室内温度設定値保持部２０３、動作モード判定部２１５、熱交換器温度比較判定部２１７、及び室内機ファン／吹出し口制御部２２３等は、例えば、プロセッサ、メモリ等から構成される。なお、本実施の形態では、絶対湿度設定値算出部２０４、露点温度算出部２０９、絶対湿度算出部２０７、動作モード判定部２１５、熱交換器温度比較判定部２１７、及び室内機ファン／吹出し口制御部２２３等を室内機２００に内蔵したが、この例に特に限定されない。例えば、これらの一部又は全部を室外機２０１に内蔵したり、外部のサーバ等に内蔵したりする等の種々の変更が可能である。
【０１０８】
図５は、図２に示す空気調和装置の湿度制御処理の一例を示すフローチャートであり、図６は、図５に示す強制結露除湿運転処理の一例を示すフローチャートである。本実施の形態では、図５に示す湿度制御処理により空気調和装置が冷房運転から強制結露除湿運転へ切り替えられる。
【０１０９】
図５に示すように、まず、ステップＳ１１において、絶対湿度設定値算出部２０４は、演算処理高速化のため、図３に示す絶対湿度変換テーブルを用いて、室内温度設定値保持部２０３から取得した設定温度Ｔ１と、室内相対湿度設定値保持部２０２から取得した設定相対湿度Ｕ１とから目標絶対湿度Ｄ１を算出する。
【０１１０】
次に、ステップＳ１２において、露点温度算出部２０９は、演算処理高速化のため、図４に示す露点温度変換テーブルを用いて、室内温度設定値保持部２０３から取得した設定温度Ｔ１と、室内相対湿度設定値保持部２０２から取得した設定相対湿度Ｕ１とから露点温度ＴＤを算出する。
【０１１１】
ここで、動作モード判定部２１５は、室内外温度比較部２１４の比較結果を基に、現在の動作モードを冷房運転モードと判定しているものとする。この場合、ステップＳ１３〜Ｓ２１において、以下の冷房運転が行われる。
【０１１２】
まず、ステップＳ１３において、動作モード判定部２１５は、室内機ファン／吹出し口制御部２２３に冷房運転モードを指示し、室内機ファン／吹出し口制御部２２３は、吹出し口２２５の設定位置を開口位置に制御して吹出し口２２５を開かせる。
【０１１３】
次に、ステップＳ１４において、室内機ファン／吹出し口制御部２２３は、室内機ファン２２４の設定風量をＯＮ状態に制御して、室内機ファン２２４に吹出し口２２５から室内への送風を開始させる。
【０１１４】
次に、ステップＳ１５において、室内温度比較部２１０は、室内温度検出部２０６から室内温度Ｔ２を取得するとともに、室内温度設定値保持部２０３から設定温度Ｔ１を取得し、室内温度Ｔ２から設定温度Ｔ１を減算した設定温度差Δｔ１を計算する。
【０１１５】
次に、ステップＳ１６において、熱交換器温度比較判定部２１７は、設定温度差Δｔ１が閾値１（例えば、２℃）以上であるか否かを判断する。熱交換器温度比較判定部２１７は、設定温度差Δｔ１が閾値１以上でないと判断した場合（ステップＳ１６でＮＯ）、ステップＳ１８において、圧縮機制御部２１９を用いて、圧縮機２１８をＯＦＦして停止させる。その後、ステップＳ１５以降の処理が継続される。
【０１１６】
一方、熱交換器温度比較判定部２１７は、設定温度差Δｔ１が閾値１以上であると判断した場合（ステップＳ１６でＹＥＳ）、ステップＳ１７において、圧縮機制御部２１９を用いて、圧縮機２１８をＯＮして動作させ、室内熱交換器２２０を設定温度ＨＴで冷却する。
【０１１７】
次に、ステップＳ１９において、室内温度比較部２１０は、室内温度検出部２０６から室内温度Ｔ２を取得するとともに、室内温度設定値保持部２０３から設定温度Ｔ１を取得し、室内温度Ｔ２から設定温度Ｔ１を減算した設定温度差Δｔ１を計算する。
【０１１８】
次に、ステップＳ２０において、熱交換器温度比較判定部２１７は、設定温度差Δｔ１が閾値２（例えば、０℃）以下であるか否かを判断する。熱交換器温度比較判定部２１７は、設定温度差Δｔ１が閾値２以下でないと判断した場合（ステップＳ１６でＮＯ）、処理をステップＳ１９に移行する。その後、ステップＳ１９以降の処理が継続される。
【０１１９】
一方、熱交換器温度比較判定部２１７は、設定温度差Δｔ１が閾値２以下であると判断した場合（ステップＳ２０でＹＥＳ）、ステップＳ２１において、圧縮機制御部２１９を用いて、圧縮機２１８をＯＦＦして停止させる。
【０１２０】
次に、ステップＳ２２において、室内外温度比較部２１４は、室内温度設定値保持部２０３から設定温度Ｔ１を取得するとともに、室外温度検出部２１３から室外温度Ｔ３を取得し、設定温度Ｔ１から室外温度Ｔ３を減算した内外温度差Δｔ２を計算する。
【０１２１】
次に、ステップＳ２３において、動作モード判定部２１５は、内外温度差Δｔ２が閾値３（例えば、３℃）以上であるか否かを判断する。動作モード判定部２１５は、内外温度差Δｔ２が閾値３以上でないと判断した場合（ステップＳ２３でＮＯ）、現在の動作モードを冷房運転モードと判定し、処理をステップＳ１５に移行する。その後、ステップＳ１５以降の処理が継続される。
【０１２２】
一方、動作モード判定部２１５は、内外温度差Δｔ２が閾値３以上であると判断した場合（ステップＳ２３でＹＥＳ）、現在の動作モードを強制結露除湿運転モードと判定し、ステップＳ２４において、処理を、図６に示す強制結露除湿運転処理に移行する。
【０１２３】
図６に示すように、強制結露除湿運転処理では、まず、ステップＳ３１において、動作モード判定部２１５は、室内機ファン／吹出し口制御部２２３に強制結露除湿運転モードを指示し、室内機ファン／吹出し口制御部２２３は、吹出し口２２５の設定位置を閉鎖位置に制御して吹出し口２２５を閉じさせる。
【０１２４】
次に、ステップＳ３２において、室内機ファン／吹出し口制御部２２３は、室内機ファン２２４をＯＦＦして停止させ、吹出し口２２５から室内への送風を停止する。
【０１２５】
次に、ステップＳ３３において、熱交換器温度比較判定部２１７は、熱交換器温度検出部２１６が検出した熱交換器温度Ｔ４から熱交換器設定温度選択部２１２が選択した室内熱交換器２２０の露点温度ＴＤを減算した熱交換器温度差Δｔ３を計算する。
【０１２６】
次に、ステップＳ３４において、熱交換器温度比較判定部２１７は、熱交換器温度差Δｔ３が閾値４（例えば、０℃）より大きいか否かを判断する。熱交換器温度比較判定部２１７は、熱交換器温度差Δｔ３が閾値４より大きくないと判断した場合（ステップＳ３４でＮＯ）、ステップＳ３６において、圧縮機制御部２１９を用いて、圧縮機２１８をＯＦＦして停止させる。その後、ステップＳ３３以降の処理が継続される。
【０１２７】
一方、熱交換器温度比較判定部２１７は、熱交換器温度差Δｔ３が閾値４より大きいと判断した場合（ステップＳ３４でＹＥＳ）、ステップＳ３５において、圧縮機制御部２１９を用いて、圧縮機２１８をＯＮして室内熱交換器２２０を露点温度ＴＤで冷却する。
【０１２８】
次に、ステップＳ３７において、絶対湿度算出部２０７は、演算処理高速化のため、図３に示す絶対湿度変換テーブルを用いて、室内温度検出部２０６が検出した室内温度Ｔ２と、室内相対湿度検出部２０５が検出した室内相対湿度Ｕ２とから現在の室内絶対湿度Ｄ２を計算する。
【０１２９】
次に、ステップＳ３８において、絶対湿度比較部２０８は、絶対湿度算出部２０７が算出した現在の室内絶対湿度Ｄ２から絶対湿度設定値算出部２０４が算出した目標絶対湿度Ｄ１を減算した絶対湿度差Δｔ４を計算する。
【０１３０】
次に、ステップＳ３９において、熱交換器温度比較判定部２１７は、絶対湿度差Δｔ４が閾値５（例えば、０ｇ／ｍ３）より大きいか否かを判断する。熱交換器温度比較判定部２１７は、絶対湿度差Δｔ４が閾値５より大きいと判断した場合（ステップＳ３９でＹＥＳ）、処理をステップＳ３３に移行する。その後、ステップＳ３３以降の処理が継続される。
【０１３１】
一方、熱交換器温度比較判定部２１７は、絶対湿度差Δｔ４が閾値５より大きくないと判断した場合（ステップＳ３９でＮＯ）、ステップＳ４０において、圧縮機制御部２１９を用いて、圧縮機２１８をＯＦＦして停止させる。
【０１３２】
次に、ステップＳ４１において、室内外温度比較部２１４は、室内温度設定値保持部２０３から設定温度Ｔ１を取得するとともに、室外温度検出部２１３から室外温度Ｔ３を取得し、設定温度Ｔ１から室外温度Ｔ３を減算した内外温度差Δｔ２を計算する。
【０１３３】
次に、ステップＳ４２において、動作モード判定部２１５は、内外温度差Δｔ２が閾値６（例えば、０℃）以下であるか否かを判断する。動作モード判定部２１５は、内外温度差Δｔ２が閾値６以下であると判断した場合（ステップＳ４２でＹＥＳ）、ステップＳ４４において、現在の動作モードを冷房運転モードと判定し、強制結露除湿運転を終了した後、処理を、図５に示すステップＳ２５に戻す。
【０１３４】
一方、動作モード判定部２１５は、内外温度差Δｔ２が閾値６以下でないと判断した場合（ステップＳ４２でＮＯ）、ステップＳ４３において、リモコン（図示省略）等を用いた、ユーザによる強制結露除湿運転の停止操作が行われたか否かを判断する。動作モード判定部２１５は、ユーザによる強制結露除湿運転の停止操作が行われたと判断した場合（ステップＳ４３でＹＥＳ）、ステップＳ４４において、現在の動作モードを冷房運転モードと判定し、強制結露除湿運転を終了した後、処理を、図５に示すステップＳ２５に戻す。一方、動作モード判定部２１５は、ユーザによる強制結露除湿運転の停止操作が行われていないと判断した場合（ステップＳ４３でＮＯ）、処理をステップＳ３７に移行する。その後、ステップＳ３７以降の処理が継続される。
【０１３５】
上記の強制結露除湿運転処理が終了した後、図５に示すステップＳ２５において、動作モード判定部２１５は、リモコン（図示省略）等を用いたユーザによる冷房運転の停止操作が行われたか否かを判断する。動作モード判定部２１５は、ユーザによる冷房運転の停止操作が行われたと判断した場合（ステップＳ２５でＹＥＳ）、ステップＳ２６において、冷房運転を終了し、処理を終了する。一方、動作モード判定部２１５は、ユーザによる冷房運転の停止操作が行われていないと判断した場合（ステップＳ２５でＮＯ）、処理をステップＳ１３に移行する。その後、ステップＳ１３以降の処理が継続される。
【０１３６】
図７は、図２に示す空気調和装置の動作状態の一例を示す図である。図７の動作状態は、設定温度Ｔ１を２８℃、閾値１を２℃、閾値２を０℃、閾値３を３℃、閾値４を０℃、閾値５を０ｇ／ｍ３、閾値６を０℃とした場合の一例を示している。
【０１３７】
図７に示すように、まず、就寝時刻ｔ１１において、冷房運転の設定温度Ｔ１が２５℃から２８℃に変更され、圧縮機２１８はＯＦＦされる。その後、室内温度Ｔ２と熱交換器温度Ｔ４とが上昇し、室内温度Ｔ２が設定温度Ｔ１（２８℃）より２℃高い３０℃になる冷房運転動作開始時刻ｔ１２まで、圧縮機２１８はＯＦＦ状態にある。このとき、室内絶対湿度Ｄ２も上昇する。
【０１３８】
次に、冷房運転動作開始時刻ｔ１２において、圧縮機２１８はＯＮされる。このとき、室内温度Ｔ２と熱交換器温度Ｔ４とが低下し、室内絶対湿度Ｄ２は緩やかに上昇する。
【０１３９】
次に、冷房運転動作停止時刻ｔ１３において、室内温度Ｔ２が設定温度Ｔ１（２８℃）に到達すると、圧縮機２１８はＯＦＦされる。このとき、室内絶対湿度Ｄ２は、さらに上昇する。
【０１４０】
ここで、室外温度Ｔ３は、時間の経過とともに低下しており、室外温度Ｔ３が設定温度Ｔ１（２８℃）より３℃低い２５℃になる強制結露除湿運転動作開始時刻ｔ１４において、冷房運転から強制結露除湿運転に切り替えられる。すなわち、圧縮機２１８がＯＮされ、室内熱交換器２２０が露点温度ＴＤで冷却されるので、強制結露除湿運転動作維持開始時刻ｔ１５において、熱交換器温度Ｔ４が露点温度ＴＤに到達する。このとき、室内絶対湿度Ｄ２は低下する。
【０１４１】
次に、強制結露除湿運転による圧縮機２１８のＯＦＦ／ＯＮが繰り返されることにより、熱交換器温度Ｔ４が露点温度ＴＤに維持され、目標絶対湿度到達時刻ｔ１６において、室内絶対湿度Ｄ２が目標絶対湿度Ｄ１（１１．８ｇ／ｍ３）まで低下する。
【０１４２】
その後、強制結露除湿運転による圧縮機２１８のＯＦＦ／ＯＮがさらに繰り返され、熱交換器温度Ｔ４が露点温度ＴＤに維持されるので、室内絶対湿度Ｄ２が目標絶対湿度Ｄ１（１１．８ｇ／ｍ３）となる状態が起床時間ｔ１７まで維持される。
【０１４３】
以上のように、本実施の形態では、設定温度Ｔ１と室外温度Ｔ３の差が閾値３以上になったときに、冷房運転から強制結露除湿運転に切り替え、室内機ファン２２４を停止し、吹出し口２２５を閉鎖することで、適温と適湿を両立させる。これにより、ユーザは、冷え過ぎや高湿によって、中途覚醒することなく、快適な睡眠を継続することができる。
【０１４４】
なお、強制結露除湿運転処理は、上記の例に特に限定されない。例えば、室内絶対湿度Ｄ２が目標絶対湿度Ｄ１に到達した後、熱交換器温度Ｔ４が露点温度ＴＤを含む所定範囲内、例えば、露点温度ＴＤから（露点温度ＴＤ＋０．５〜３℃）までの範囲内になるように室内熱交換器２２０を冷却するようにしてもよい。
【０１４５】
図８は、図５に示す強制結露除湿運転処理の他の一例を示すフローチャートである。なお、図８において、図６と同様の処理については、同一符号を付して詳細な説明を省略する。
【０１４６】
まず、ステップＳ３１〜Ｓ３３において、図６に示すステップＳ３１〜Ｓ３３と同様の処理が実行された後、ステップＳ４５において、熱交換器温度比較判定部２１７は、熱交換器温度差Δｔ３が閾値４（例えば、０℃）以下か否かを判断する。熱交換器温度比較判定部２１７は、熱交換器温度差Δｔ３が閾値４以下と判断した場合（ステップＳ４５でＹＥＳ）、ステップＳ３６において、圧縮機制御部２１９を用いて、圧縮機２１８をＯＦＦして停止させる。その後、ステップＳ３３以降の処理が継続される。
【０１４７】
一方、熱交換器温度比較判定部２１７は、熱交換器温度差Δｔ３が閾値４以下でないと判断した場合（ステップＳ４５でＮＯ）、熱交換器温度差Δｔ３が所定の閾値７（例えば、０℃）より大きいか否かを判断する。熱交換器温度比較判定部２１７は、熱交換器温度差Δｔ３が閾値７より大きくないと判断した場合（ステップＳ４６でＮＯ）、処理をステップＳ３３に移行する。その後、ステップＳ３３以降の処理が継続される。
【０１４８】
一方、熱交換器温度比較判定部２１７は、熱交換器温度差Δｔ３が閾値７より大きいと判断した場合（ステップＳ４６でＹＥＳ）、ステップＳ３５において、圧縮機制御部２１９を用いて、圧縮機２１８をＯＮして室内熱交換器２２０を露点温度ＴＤで冷却する。
【０１４９】
上記のように、閾値７として、閾値４と同じ値を用いることにより、図６に示す強制結露除湿運転処理と同様の処理が実行され、室内熱交換器２２０の温度すなわち熱交換器温度Ｔ４が露点温度ＴＤまで低下した後、露点温度ＴＤに維持される。
【０１５０】
次に、ステップＳ３７〜Ｓ３９において、図６に示すステップＳ３７〜Ｓ３９と同様の処理が実行される。ステップＳ３９において、熱交換器温度比較判定部２１７は、絶対湿度差Δｔ４が閾値５（例えば、０ｇ／ｍ３）より大きいと判断した場合（ステップＳ３９でＹＥＳ）、処理をステップＳ３３に移行する。その後、ステップＳ３３以降の処理が継続される。
【０１５１】
一方、ステップＳ３９において、熱交換器温度比較判定部２１７は、絶対湿度差Δｔ４が閾値５（例えば、０ｇ／ｍ３）より大きくないと判定した場合（ステップＳ３９でＮＯ）、ステップＳ４７において、閾値７を閾値７より大きい閾値８（例えば、０．５℃）に変更する。その後、ステップＳ４０〜Ｓ４４において、図６に示すステップＳ４０〜Ｓ４４と同様の処理が実行される。
【０１５２】
したがって、室内絶対湿度Ｄ２が目標絶対湿度Ｄ１まで低下した後、熱交換器温度比較判定部２１７は、熱交換器温度差Δｔ３が閾値４以下でないと判断した場合（ステップＳ４５でＮＯ）、ステップＳ４６において、熱交換器温度差Δｔ３が閾値８より大きいか否かを判断する。熱交換器温度比較判定部２１７は、熱交換器温度差Δｔ３が閾値８より大きくないと判断した場合（ステップＳ４６でＮＯ）、処理をステップＳ３３に移行する。その後、以降の処理が継続される。
【０１５３】
一方、熱交換器温度比較判定部２１７は、熱交換器温度差Δｔ３が閾値８より大きいと判断した場合（ステップＳ４６でＹＥＳ）、ステップＳ３５において、圧縮機制御部２１９を用いて、圧縮機２１８をＯＮして室内熱交換器２２０を露点温度ＴＤで冷却する。
【０１５４】
上記のように、室内絶対湿度Ｄ２が目標絶対湿度Ｄ１まで低下したときに閾値７を閾値８に変更することにより、室内熱交換器２２０の温度すなわち熱交換器温度Ｔ４は、露点温度ＴＤから（露点温度ＴＤ＋０．５℃）までの範囲内に維持される。
【０１５５】
図９は、図８に示す強制結露除湿運転処理を実行した場合の空気調和装置の動作状態の一例を示す図である。図９の動作状態は、設定温度Ｔ１を２８℃、閾値１を２℃、閾値２を０℃、閾値３を３℃、閾値４を０℃、閾値５を０ｇ／ｍ３、閾値６を０℃、閾値７を０℃、閾値８を０．５℃とした場合の一例を示している。
【０１５６】
図９に示すように、冷房運転時の就寝時刻ｔ１１から目標絶対湿度到達時刻ｔ１６までの空気調和装置の動作状態は、図７と同様である。次に、目標絶対湿度到達時刻ｔ１６において、室内絶対湿度Ｄ２が目標絶対湿度Ｄ１（１１．８ｇ／ｍ３）まで低下すると、圧縮機２１８は、熱交換器温度Ｔ４が露点温度ＴＤになったときにＯＦＦされ、熱交換器温度Ｔ４が（露点温度ＴＤ＋０．５℃）になったときにＯＮされる動作を繰り返す。したがって、熱交換器温度Ｔ４は、露点温度ＴＤから（露点温度ＴＤ＋０．５℃）までの範囲内に維持される。この結果、起床時間ｔ１７まで、室内温度Ｔ２は、２９℃前後の適温範囲内に維持され、室内絶対湿度Ｄ２は、目標絶対湿度Ｄ１（１１．８ｇ／ｍ３）を含む適湿範囲内（１１．８〜１２．２ｇ／ｍ３）に維持される。
【０１５７】
上記の強制結露除湿運転処理により、強制結露除湿運転時に、室内絶対湿度Ｄ２が目標絶対湿度Ｄ１に到達した後、室内絶対湿度Ｄ２が目標絶対湿度Ｄ１を含む所定範囲内になるように、室内熱交換器２２０が冷却される。このため、室内の温度が冷たくなりすぎることを防止しつつ、室内を適温及び適湿な状態にすることができる。
【０１５８】
（実施の形態２）
上記の実施の形態１では、設定温度Ｔ１又は室内温度Ｔ２と室外温度Ｔ３との差に応じて、冷房運転を強制結露除湿運転へ切り替えた。しかし、本実施の形態では、時系列において隣接する冷房運転の動作時間と停止時間との差に応じて、冷房運転を強制結露除湿運転へ切り替える。
【０１５９】
図１０は、本開示の実施の形態２における空気調和装置の構成の一例を示すブロック図である。図１０に示す空気調和装置が図２に示す空気調和装置と異なる点は、圧縮機ＯＮ時間計測部２２６、圧縮機ＯＦＦ時間計測部２２７、及び動作時間比較判定部２２８が追加された点であり、図２と同様の部分については同一符号を付し、詳細な説明を省略する。
【０１６０】
圧縮機ＯＮ時間計測部２２６は、圧縮機制御部２１９から冷房運転時の圧縮機２１８の動作状態を取得し、冷房運転の動作時間の一例として、室内熱交換器２２０の冷却時間すなわち冷房運転時に圧縮機２１８がＯＮ状態である時間を示すＯＮ時間を計測する。
【０１６１】
圧縮機ＯＦＦ時間計測部２２７は、圧縮機制御部２１９から冷房運転時の圧縮機２１８の動作状態を取得し、冷房運転の停止時間の一例として、室内熱交換器２２０の非冷却時間すなわち冷房運転時に圧縮機２１８がＯＦＦ状態である時間を示すＯＦＦ時間を計測する。
【０１６２】
動作時間比較判定部２２８は、圧縮機ＯＮ時間計測部２２６から取得したＯＮ時間と、圧縮機ＯＦＦ時間計測部２２７から取得したＯＦＦ時間とを比較し、時系列において隣接するＯＮ時間とＯＦＦ時間との時間差ｄ１（＝ＯＦＦ時間−ＯＮ時間）を求める。
【０１６３】
動作モード判定部２１５は、動作時間比較判定部２２８から取得した、ＯＮ時間とＯＦＦ時間との時間差ｄ１に応じて、冷房運転から強制結露除湿運転への切り替えを判定する。具体的には、動作モード判定部２１５は、ＯＮ時間とＯＦＦ時間との時間差ｄ１が所定の閾値９（例えば、３５分）以上になった場合、冷房運転から強制結露除湿運転への切り替えを判定する。
【０１６４】
なお、閾値９は、上記の例に特に限定されず、種々の値を用いることができる。また、冷房運転の動作時間及び停止時間は、上記の例に特に限定されない。例えば、冷房運転の動作時間及び停止時間として、所定単位時間毎にカウントアップするカウンタのカウント値を用いる等の種々の変更が可能である。
【０１６５】
熱交換器温度比較判定部２１７及び室内機ファン／吹出し口制御部２２３は、室内機ファン２２４に送風させ、吹出し口２２５を開かせ、室内温度Ｔ２が設定温度Ｔ１になるように、室内熱交換器２２０を冷却する冷房運転を制御する。熱交換器温度比較判定部２１７及び室内機ファン／吹出し口制御部２２３は、室内機ファン２２４を停止させ、吹出し口２２５を閉じさせ、室内熱交換器２２０を露点温度ＴＤで冷却して室内の除湿を行う強制結露除湿運転を制御する。そして、熱交換器温度比較判定部２１７及び室内機ファン／吹出し口制御部２２３は、動作モード判定部２１５の切り替えの判定結果に応じて、冷房運転を強制結露除湿運転へ切り替える。
【０１６６】
なお、強制結露除湿運転の動作は、上記の例に特に限定されない。例えば、強制結露除湿運転時のときに、室内機ファン２２４に送風させたり、吹出し口２２５を開かせたりしてもよい。また、強制結露除湿運転に代えて、公知の除湿運転を用いてもよく、例えば、上記の特許文献２に開示される再熱ドライ運転を用いてもよい。
【０１６７】
本実施の形態において、絶対湿度設定値算出部２０４は、第１取得部又は第１算出部の一例であり、露点温度算出部２０９は、第２取得部又は第２算出部の一例であり、絶対湿度算出部２０７は、第３取得部又は第３算出部の一例であり、熱交換器温度比較判定部２１７及び室内機ファン／吹出し口制御部２２３は、制御部の一例である。また、室外温度検出部２１３は、第４取得部の一例である。
【０１６８】
また、室内温度設定値保持部２０３は、別の第１取得部の一例であり、室内温度検出部２０６は、別の第２取得部の一例であり、動作モード判定部２１５は、別の判定部の一例であり、熱交換器温度比較判定部２１７及び室内機ファン／吹出し口制御部２２３は、別の制御部の一例である。また、室内相対湿度設定値保持部２０２は、別の第３取得部の一例であり、室内相対湿度検出部２０５は、別の第４取得部の一例であり、絶対湿度設定値算出部２０４は、別の第１算出部の一例であり、露点温度算出部２０９は、別の第２算出部の一例であり、絶対湿度算出部２０７は、別の第３算出部の一例である。
【０１６９】
ここで、室内相対湿度設定値保持部２０２、室内温度設定値保持部２０３、絶対湿度設定値算出部２０４、絶対湿度算出部２０７、露点温度算出部２０９、動作モード判定部２１５、熱交換器温度比較判定部２１７、及び室内機ファン／吹出し口制御部２２３等は、例えば、プロセッサ、メモリ等から構成される。なお、本実施の形態では、絶対湿度設定値算出部２０４、絶対湿度算出部２０７、露点温度算出部２０９、動作モード判定部２１５、熱交換器温度比較判定部２１７、及び室内機ファン／吹出し口制御部２２３等を室内機２００に内蔵したが、この例に特に限定されない。例えば、これらの一部又は全部を室外機２０１に内蔵したり、外部のサーバ等に内蔵したりする等の種々の変更が可能である。
【０１７０】
図１１は、図１０に示す空気調和装置の湿度制御処理の一例を示すフローチャートである。本実施の形態では、図１１に示す湿度制御処理により空気調和装置が冷房運転から強制結露除湿運転へ切り替えられる。
【０１７１】
図１１に示すように、まず、ステップＳ１１〜Ｓ１８において、図５に示すステップＳ１１〜Ｓ１８と同様の処理が実行された後、ステップＳ５１において、圧縮機ＯＮ時間計測部２２６は、圧縮機制御部２１９から冷房運転時の圧縮機２１８の動作状態を取得し、冷房運転時の圧縮機２１８のＯＮ時間を計測する。
【０１７２】
次に、ステップＳ１９〜Ｓ２１において、図５に示すステップＳ１９〜Ｓ２１と同様の処理が実行された後、ステップＳ５２において、圧縮機ＯＦＦ時間計測部２２７は、圧縮機制御部２１９から冷房運転時の圧縮機２１８の動作状態を取得し、冷房運転時の圧縮機２１８のＯＦＦ時間を計測する。
【０１７３】
次に、ステップＳ５３において、動作時間比較判定部２２８は、圧縮機ＯＦＦ時間計測部２２７により計測されたＯＦＦ時間から圧縮機ＯＮ時間計測部２２６により計測されたＯＮ時間を減算した時間差ｄ１を計算する。
【０１７４】
次に、ステップＳ５４において、動作モード判定部２１５は、時間差ｄ１が閾値９（例えば、３５分）以上であるか否かを判断する。ステップＳ５４において、時間差ｄ１が閾値９以上でないと判断された場合（ステップＳ５４でＮＯ）、ステップＳ５５において、室内温度比較部２１０は、室内温度検出部２０６から室内温度Ｔ２を取得するとともに、室内温度設定値保持部２０３から設定温度Ｔ１を取得し、室内温度Ｔ２から設定温度Ｔ１を減算した設定温度差Δｔ１を計算する。
【０１７５】
次に、ステップＳ５６において、熱交換器温度比較判定部２１７は、設定温度差Δｔ１が閾値１（例えば、２℃）以上であるか否かを判断する。熱交換器温度比較判定部２１７は、設定温度差Δｔ１が閾値１以上でないと判断した場合（ステップＳ５６でＮＯ）、処理をステップＳ２１に移行し、圧縮機２１８をＯＦＦした状態を維持する。次に、ステップＳ５２において、圧縮機ＯＦＦ時間計測部２２７は、冷房運転時の圧縮機２１８のＯＦＦ時間を計測する。その後、ステップＳ５３以降の処理が継続される。
【０１７６】
一方、熱交換器温度比較判定部２１７は、設定温度差Δｔ１が閾値１以上であると判断した場合（ステップＳ５６でＹＥＳ）、ステップＳ１７において、圧縮機制御部２１９を用いて、圧縮機２１８をＯＮして動作させ、室内熱交換器２２０を設定温度ＨＴで冷却する。次に、ステップＳ５１において、圧縮機ＯＮ時間計測部２２６は、冷房運転時の圧縮機２１８のＯＮ時間を計測する。その後、ステップＳ１９以降の処理が継続される。
【０１７７】
一方、ステップＳ５４において、時間差ｄ１が閾値９以上であると判断された場合（ステップＳ５４でＹＥＳ）、ステップＳ２４において、実施の形態１と同様に、図８に示す強制結露除湿運転処理が実行される。その後、ステップＳ２５、Ｓ２６において、図５に示すステップＳ２５、Ｓ２６と同様の処理が実行され、処理は終了される。なお、ステップＳ２４で実行される強制結露除湿運転処理は、上記の例に特に限定されない。例えば、ステップＳ２４で図６に示す強制結露除湿運転処理を実行する等の種々の変更が可能である。
【０１７８】
図１２は、図１０に示す空気調和装置の動作状態の一例を示す図である。図１２の動作状態は、図８に示す強制結露除湿運転処理が実行され、設定温度Ｔ１を２８℃、閾値１を２℃、閾値２を０℃、閾値４を０℃、閾値５を０ｇ／ｍ３、閾値６を０℃、閾値７を０℃、閾値８を０．５℃、閾値９を３５分とした場合の一例を示している。
【０１７９】
図１２に示すように、まず、就寝時刻ｔ２１において、冷房運転の設定温度Ｔ１が２５℃から２８℃に変更され、圧縮機２１８はＯＦＦされる。このとき、室内温度Ｔ２と熱交換器温度Ｔ４とが上昇し、室内温度Ｔ２が設定温度Ｔ１（２８℃）より２℃高い３０℃になる冷房運転動作開始時刻ｔ２２まで、圧縮機２１８はＯＦＦ状態にある。このとき、室内絶対湿度Ｄ２も上昇する。
【０１８０】
次に、室内温度Ｔ２が設定温度Ｔ１（２８℃）より２℃高い３０℃になると、冷房運転動作開始時刻ｔ２２において、圧縮機２１８はＯＮされ、圧縮機２１８のＯＮ時間Ｏ１が計測される。このとき、室内温度Ｔ２及び熱交換器温度Ｔ４は低下し、室内絶対湿度Ｄ２は緩やかに上昇する。
【０１８１】
次に、室内温度Ｔ２が設定温度Ｔ１（２８℃）になると、冷房運転動作停止時刻ｔ２３において、圧縮機２１８はＯＦＦされ、圧縮機２１８のＯＦＦ時間Ｓ１が計測される。このとき、室内温度Ｔ２及び熱交換器温度Ｔ４は上昇し、室内絶対湿度Ｄ２はさらに上昇する。
【０１８２】
ここで、ＯＮ時間Ｏ１が１３分であり、ＯＦＦ時間Ｓ１が４２分である場合、ＯＮ時間とＯＦＦ時間との時間差ｄ１（＝Ｓ１−Ｏ１）は２９分となり、閾値９（３５分）以上ではないため、冷房運転から強制結露除湿運転へ切り替えられず、冷房運転が維持される。
【０１８３】
次に、室内温度Ｔ２が設定温度Ｔ１（２８℃）より２℃高い３０℃になると、冷房運転動作開始時刻ｔ２４において、圧縮機２１８はＯＮされ、圧縮機２１８のＯＮ時間Ｏ２が計測される。このとき、室内温度Ｔ２及び熱交換器温度Ｔ４は低下し、室内絶対湿度Ｄ２は緩やかに上昇する。
【０１８４】
次に、室内温度Ｔ２が設定温度Ｔ１（２８℃）になると、冷房運転動作停止時刻ｔ２５において、圧縮機２１８はＯＦＦされ、圧縮機２１８のＯＦＦ時間Ｓ２が計測される。このとき、室内温度Ｔ２及び熱交換器温度Ｔ４は上昇し、室内絶対湿度Ｄ２はさらに上昇する。
【０１８５】
ここで、ＯＮ時間Ｏ２が１２分であり、ＯＦＦ時間Ｓ２が４５分である場合、ＯＮ時間とＯＦＦ時間との時間差ｄ１（＝Ｓ２−Ｏ２）は３３分となり、閾値９（３５分）以上ではないため、冷房運転から強制結露除湿運転へ切り替えられず、冷房運転が維持される。
【０１８６】
次に、室内温度Ｔ２が設定温度Ｔ１（２８℃）より２℃高い３０℃になると、冷房運転動作開始時刻ｔ２６において、圧縮機２１８はＯＮされ、圧縮機２１８のＯＮ時間Ｏ３が計測される。このとき、室内温度Ｔ２及び熱交換器温度Ｔ４は低下し、室内絶対湿度Ｄ２は緩やかに上昇する。
【０１８７】
次に、室内温度Ｔ２が設定温度Ｔ１（２８℃）になると、冷房運転動作停止時刻ｔ２７において、圧縮機２１８はＯＦＦされ、圧縮機２１８のＯＦＦ時間Ｓ３が計測される。このとき、室内温度Ｔ２及び熱交換器温度Ｔ４は上昇し、室内絶対湿度Ｄ２はさらに上昇する。
【０１８８】
ここで、室外温度Ｔ３が時間の経過とともに低下しており、ＯＮ時間Ｏ３が１１分であり、ＯＦＦ時間Ｓ３が４８分である場合、ＯＮ時間とＯＦＦ時間との時間差ｄ１（＝Ｓ３−Ｏ３）は３７分になり、閾値９（３５分）以上になる。したがって、強制結露除湿運転動作開始時刻ｔ２８において、冷房運転から強制結露除湿運転に切り替えられる。すなわち、圧縮機２１８がＯＮされ、室内熱交換器２２０が露点温度ＴＤで冷却されるので、強制結露除湿運転動作維持開始時刻ｔ２９において、熱交換器温度Ｔ４が露点温度ＴＤに到達する。このとき、室内絶対湿度Ｄ２も低下する。
【０１８９】
次に、強制結露除湿運転による圧縮機２１８のＯＦＦ／ＯＮが繰り返されることにより、熱交換器温度Ｔ４が露点温度ＴＤに維持され、目標絶対湿度到達時刻ｔ３０において、室内絶対湿度Ｄ２が目標絶対湿度Ｄ１（１１．８ｇ／ｍ３）まで低下する。
【０１９０】
次に、目標絶対湿度到達時刻ｔ３０において、室内絶対湿度Ｄ２が目標絶対湿度Ｄ１（１１．８ｇ／ｍ３）まで低下すると、圧縮機２１８は、熱交換器温度Ｔ４が露点温度ＴＤになったときにＯＦＦされ、熱交換器温度Ｔ４が（露点温度ＴＤ＋０．５℃）になったときにＯＮされる動作を繰り返す。したがって、熱交換器温度Ｔ４は、露点温度ＴＤから（露点温度ＴＤ＋０．５℃）までの範囲内に維持される。この結果、起床時間ｔ３１まで、室内温度Ｔ２は、２９℃前後の適温範囲内に維持され、室内絶対湿度Ｄ２は、目標絶対湿度Ｄ１（１１．８ｇ／ｍ３）を含む適湿範囲内（１１．８〜１２．２ｇ／ｍ３）に維持される。
【０１９１】
以上のように、本実施の形態では、時系列において隣接するＯＮ時間とＯＦＦ時間との時間差ｄ１が閾値９以上になったときに、冷房運転から強制結露除湿運転に切り替え、室内機ファン２２４を停止し、吹出し口２２５を閉鎖することで、適温と適湿を両立させる。これにより、ユーザは、冷え過ぎや高湿によって、中途覚醒することなく、快適な睡眠を継続することができる。
【０１９２】
また、上記の強制結露除湿運転処理により、強制結露除湿運転時に、室内絶対湿度Ｄ２が目標絶対湿度Ｄ１に到達した後、室内絶対湿度Ｄ２が目標絶対湿度Ｄ１を含む所定範囲内になるように、室内熱交換器２２０が冷却される。このため、室内の温度が冷たくなりすぎることを防止しつつ、室内を適温及び適湿な状態にすることができる。
【産業上の利用可能性】
【０１９３】
本開示の一態様に係る空気調和装置及び空調制御方法によれば、夏の夜の空調制御において、寒がりな人が冷房運転の設定温度を高めに設定しても、冷え過ぎや高湿によって、中途覚醒することなく、快適な睡眠を継続することができる。このため、本開示の一態様に係る空気調和装置及び空調制御方法は、夏の夜の空調制御において、冷房運転が高めの温度設定であっても、人が睡眠中の寝室で、好みの絶対湿度を維持するようにした空気調和装置及び空調制御方法として有用である。
【符号の説明】
【０１９４】
２００  室内機
２０１  室外機
２０２  室内相対湿度設定値保持部
２０３  室内温度設定値保持部
２０４  絶対湿度設定値算出部
２０５  室内相対湿度検出部
２０６  室内温度検出部
２０７  絶対湿度算出部
２０８  絶対湿度比較部
２０９  露点温度算出部
２１０  室内温度比較部
２１１  熱交換器温度設定値算出部
２１２  熱交換器設定温度選択部
２１３  室外温度検出部
２１４  室内外温度比較部
２１５  動作モード判定部
２１６  熱交換器温度検出部
２１７  熱交換器温度比較判定部
２１８  圧縮機
２１９  圧縮機制御部
２２０  室内熱交換器
２２１  室内機ファン／吹出し口動作設定保持部
２２２  室内機ファン／吹出し口動作判定部
２２３  室内機ファン／吹出し口制御部
２２４  室内機ファン
２２５  吹出し口
２２６  圧縮機ＯＮ時間計測部
２２７  圧縮機ＯＦＦ時間計測部
２２８  動作時間比較判定部
【図１】
2019163920.tif 000003
【図２】
2019163920.tif 000004
【図３】
2019163920.tif 000005
【図４】
2019163920.tif 000006
【図５】
2019163920.tif 000007
【図６】
2019163920.tif 000008
【図７】
2019163920.tif 000009
【図８】
2019163920.tif 000010
【図９】
2019163920.tif 000011
【図１０】
2019163920.tif 000012
【図１１】
2019163920.tif 000013
【図１２】
2019163920.tif 000014